(57)【要約】      （修正有）【課題】変化する色および／または模様が形成される熱可塑性物品の成形方法を提供する。【解決手段】熱可塑性物品の成形方法は、注型することによって第一の色の熱可塑性材料の素材を形成する工程（ａ）と、第二の色の熱可塑性材料を用いて射出成形によって上記素材に注型することによって上記素材に第二の色を付加する工程（ｂ）と、上記素材の温度を上記熱可塑性材料の少なくとも成形温度に加熱する工程（ｃ）と、ブロー成形によって上記素材を拡大する工程（ｄ）とを有している。【選択図】図２
2010036534.tif 000002
【特許請求の範囲】
【請求項１】
注型することによって熱可塑性材料の素材を形成する工程（ａ）と、
少なくとも１色を有する上記熱可塑性材料を用いて上記素材の少なくとも一部に注型することによって上記素材に少なくとも１色を付加する工程（ｂ）と、
上記素材の温度を上記熱可塑性材料の少なくとも成形温度に加熱する工程（ｃ）と、    上記素材を拡大する工程（ｄ）と
を有する、熱可塑性物品の成形方法。
【請求項２】
工程（ａ）は射出成形によって実行される請求項１記載の方法。
【請求項３】
色が、工程（ａ）の素材に付加される請求項１記載の方法。
【請求項４】
工程（ｂ）が射出成形、二重射出成形または多色射出成形によって実行される請求項１記載の方法。
【請求項５】
工程（ｂ）が多数の異なる色を素材に付加するために複数回実行される請求項１記載の方法。
【請求項６】
工程（ｂ）がブローイング、ブロー成形、伸張ブロー成形または真空成形によって実行される請求項１記載の方法。
【請求項７】
熱可塑性材料がポリプロピレンまたはポリカーボネートである請求項１記載の方法。
【発明の詳細な説明】
【技術分野】
【０００１】
本発明は、熱可塑性物品の成形方法に関し、特に、変化する色および／または模様を有する熱可塑性物品を成形するに適した方法に関する。
【背景技術】
【０００２】
プラスチック、特に熱可塑性物質から物品を成形するには各種の方法がある。そのような物品に色付き模様を形成する技術はあるけれども、そのように形成された模様は規則的であり、美的な魅力がない。
【発明の開示】
【発明が解決しようとする課題】
【０００３】
本発明の目的は、変化する色および／または模様が形成される熱可塑性物品の成形方法を提供することにあり、それによって物品の美的魅力を高めるとともに、少なくとも社会一般および商売にとって有用な物品を提供することにある。
【課題を解決するための手段】
【０００４】
本発明によって、注型することによって熱可塑性材料の素材を形成する工程（ａ）と、少なくとも１色を有する上記熱可塑性材料を用いて上記素材の少なくとも一部に注型することによって上記素材に少なくとも１色を付加する工程（ｂ）と、上記素材の温度を上記熱可塑性材料の少なくとも成形温度に加熱する工程（ｃ）と、上記素材を拡大する工程（ｄ）とを有する、熱可塑性物品の成形方法が提供される。
【発明を実施するための最良の形態】
【０００５】
本発明の好ましい実施形態について、添付図面を参照しながら以下に説明するが、以下の実施形態は実施例に過ぎない。
【０００６】
図１Ａなし図１Ｄは本発明の好ましい実施形態に従って熱可塑性物品を成形する方法を工程順に示す一例である。
【０００７】
図１Ａに示す工程において、熱可塑性材料、例えば、ポリプロピレン（ＰＰ）またはポリカーボネート（ＰＣ）からなる素材（以下、プリフォームともいう）１０は、射出成形機１２による射出成形によって成形される。熱可塑性材料は、例えば、赤色に着色することができる。そこで、素材１０も同じ色に着色される。
【０００８】
その後、図１Ｂに示すように、素材１０に対して異なる色、例えば緑色の熱可塑性材料を用いて注型されることによって、図１Ａに示す工程において形成された素材１０の外表面に着色模様が形成される。この工程は、射出成形、二重射出成形（２ショット成形とも呼ばれる）または多色射出成形によって実行することができる。
【０００９】
図１Ｂに示す工程を経た後、素材１０は予備加熱システム１４によって図１Ｃに示すように加熱されて、その温度が上記熱可塑性材料の少なくとも成形温度まで昇温された後、素材１０はさらに処理される。
【００１０】
加熱された素材１０は伸張ブロー成形機１６内に配置されて伸張ブロー成形され、素材１０の容積は拡大される。かくして、最終的に意図した形状および外形の多色物品１８が得られる。伸張ブロー成形に代えて、ブローイング、ブロー成形または真空成形を実行することもできる。
【００１１】
物品１８を意図した形状および外形に最終的に成形する前に、そのような方法によって、素材１０の外表面に色および色付き模様を形成できることに注目すべきである。素材１０に形成された色および色付き模様を、図１Ｄに示す工程において最終的に意図した形状および外形に物品１８を成形する工程中において変化させるとき、不規則で変化する色付き模様を物品１８の外表面に形成することができる。
【００１２】
物品１８には、実行される注型プロセス（図１Ｂに示す）の数に応じてより多くの色を付けることができる。例えば、各射出成形において異なる色の熱可塑性材料を使用する射出成形を２回もしくは３回実行することができる。また、二重射出成形を多数回実行することができる。
【００１３】
図２Ａは図１Ａに示す工程において形成されたプリフォーム１０ａの正面図である。プリフォーム１０ａには開放頂部端面と開放底部端面とが形成されている。図２Ｂおよび図２Ｃは、それぞれ図１Ｂに示す工程において形成されたプリフォーム１０ｃの正面図および断面図である。プリフォーム１０ｃには、小さい容積のキャビティを画定する、開放頂部端面と閉鎖底部端面とが形成されている。成形後、図３に示すように、最終物品１８ａ（ビンの本体）には大きな容積のキャビティが形成されることが分かる。同様に、プリフォーム１０ｂ（図４に示す）は、最終的に大きな容積のビンの本体１８ｂ（図５に示す）に成形される。プリフォーム１０ｂの色付き模様は最終的に形成されるビン１８ｂの色付き模様とは異なることが分かる。
【００１４】
上記のような本発明の方法によって、各種の形状および色付き模様の物品を成形することができる。そのような物品の中の一物品１８ｃ（すなわち、ビンの本体）が図６Ａおよび図６Ｂに示されている。図７ないし図９は、それぞれ、そのような方法によって形成された各種のビンの本体１８ｄ、１８ｅ、１８ｆを示している。ビンの本体１８ｄ、１８ｅ、１８ｆの各々は、異なる色の模様２２が形成された地色２０を有している。
【００１５】
図１０には、第一の色２４、第二の色２６、および第一の色２４と第二の色２６との組み合わせである第三の色２８とを有するビンの本体１８ｇが示されている。
【００１６】
本発明の方法によって成形された物品がビンまたはビンの本体に関して記載された。もちろん、本発明の方法によって他の物品を成形することもできる。例えば、図１１Ａと図１１Ｂは、容器、例えば、互いに固定された容器部分３２とスタンド３４を有する装飾ボール３０を示している。容器部分３２は、本発明の方法によって製造された多色部分である。他の物品、例えば、ランプシェイド等を成形することもできる。
【００１７】
上記は本発明の実施例のみを示したに過ぎず、本発明の技術的範囲を逸脱しない範囲において、適宜修正および／又は変形が可能である。
【００１８】
明確にするために別々の実施形態に記載された本発明の特徴は、一つの実施形態において組み合わせることができる。逆に、単一の実施形態に記載された本発明の各種特徴は、適切な別の下部実施形態に分離することもできる。
【図面の簡単な説明】
【００１９】
【図１】図１Ａなし図１Ｄは本発明の好ましい実施形態に従って熱可塑性物品を成形する方法を工程順に示す一例である。
【図２】図２Ａは図１Ａに示す工程において形成されたプリフォームの正面図、図２Ｂは図１Ｂに示す工程において形成されたプリフォームの正面図、図２Ｃは図２Ｂに示すプリフォームの断面図である。
【図３】図３は、図１Ａないし図１Ｄに示す方法によって図２Ａのプリフォームから成形されたビンの正面図である。
【図４】図４は、図１Ａに示す工程において形成された別のプリフォームの正面図である。
【図５】図５は、図１Ａないし図１Ｄに示す方法によって図４のプリフォームから成形されたビンの正面図である。
【図６】図６Ａおよび図６Ｂは、図１Ａないし図１Ｄに示す方法によって成形された、さらに別のビンの正面図である。
【図７】図７は、図１Ａないし図１Ｄに示す方法によって成形された、さらに別のビンの正面図である。
【図８】図８は、図１Ａないし図１Ｄに示す方法によって成形された、さらに別のビンの正面図である。
【図９】図９は、図１Ａないし図１Ｄに示す方法によって成形された、さらに別のビンの正面図である。
【図１０】図１０は、図１Ａないし図１Ｄに示す方法によって成形された、さらに別のビンの正面図である。
【図１１】図１１Ａは図１Ａないし図１Ｄに示す方法によって成形された容器の頂面図、図１１Ｂは図１１Ａに示す容器の正面図である。
【符号の説明】
【００２０】
１０  素材
１０ａ、１０ｂ、１０ｃ  プリフォーム
１２  射出成形機
１４  予備加熱システム
１６  伸張ブロー成形機
１８、１８ａ、１８ｃ  物品
１８ｂ、１８ｄ、１８ｅ、１８ｆ、１８ｇ  ビンの本体
２０  地色
２２  模様
２４  第一の色
２６  第二の色
２８  第三の色
３０  装飾ボール
３２  容器部分
３４  スタンド
【図１】
2010036534.tif 000003
【図２】
2010036534.tif 000004
【図３】
2010036534.tif 000005
【図４】
2010036534.tif 000006
【図５】
2010036534.tif 000007
【図６】
2010036534.tif 000008
【図７】
2010036534.tif 000009
【図８】
2010036534.tif 000010
【図９】
2010036534.tif 000011
【図１０】
2010036534.tif 000012
【図１１】
2010036534.tif 000013